(57)【要約】【課題】インキ供給装置及び方法並びに印刷機において、印刷機の停止時におけるインキの漏れを防止することで印刷品質の向上を可能とする。【解決手段】インキ元ローラ７１ａ，７１ｂ，９１ａ，９１ｂと、インキキー７２ａ，７２ｂ，９２ａ，９２ｂと、インキキー７２ａ，７２ｂ，９２ａ，９２ｂの開度を調整可能なインキキー開度調整装置１１５と、インキ元ローラ７１ａ，７１ｂ，９１ａ，９１ｂを回転可能なローラ駆動装置１１１と、インキ供給停止信号の入力によりインキキー開度調整装置１１５によりインキキー開度を減少すると共に、ローラ駆動装置１１１によりインキ元ローラ７１ａ，７１ｂ，９１ａ，９１ｂを所定時間だけ回転可能な制御装置１２１とを設ける。【選択図】図１
2015085562.tif 000002
【特許請求の範囲】
【請求項１】
インキ元ローラと、
前記インキ元ローラが供給するインキ膜厚を調整可能なインキキーと、
前記インキ元ローラからインキが受け渡されるインキ受渡しローラと、
前記インキ受渡しローラからのインキを搬送する複数のインキ搬送ローラと、
前記インキキーの開度を調整可能なインキキー開度調整装置と、
インキ供給停止信号の入力により前記インキキー開度調整装置によりインキキー開度を減少する制御装置と、
を有することを特徴とするインキ供給装置。
【請求項２】
前記インキ元ローラを回転可能なローラ駆動装置が設けられ、前記制御装置は、インキ供給停止信号の入力により前記インキキー開度調整装置によりインキキー開度を減少すると共に、前記ローラ駆動装置により前記インキ元ローラを所定時間だけ回転可能であることを特徴とする請求項１に記載のインキ供給装置。
【請求項３】
前記制御装置は、インキ供給停止信号の入力により前記インキキー開度調整装置によりインキキー開度を最小値に設定することを特徴とする請求項１または請求項２に記載のインキ供給装置。
【請求項４】
前記制御装置は、使用するインキの流動性が予め設定された所定値より高いとき、前記ローラ駆動装置により前記インキ元ローラを所定時間だけ回転することを特徴とする請求項２または請求項３に記載のインキ供給装置。
【請求項５】
前記インキ供給停止信号は、印刷機の緊急停止信号であることを特徴とする請求項１から請求項４のいずれか一項に記載のインキ供給装置。
【請求項６】
前記インキ供給停止信号の入力時のインキキー開度を記憶する記憶部が設けられ、前記制御装置は、シャットオフ解除信号の入力により前記インキキー開度調整装置によりインキキー開度を前記記憶部に記憶されたインキキー開度に復帰させることを特徴とする請求項１から請求項５のいずれか一項に記載のインキ供給装置。
【請求項７】
前記制御装置は、前記インキ供給停止信号の入力により前記インキキー開度調整装置によりインキキー開度を所定値に減少した後、インキプリセットデータが入力されたら、前記記憶部に記憶されたインキキー開度のデータをインキプリセットデータに変更することを特徴とする請求項６に記載のインキ供給装置。
【請求項８】
前記制御装置は、前記インキ供給停止信号の入力により前記インキキー開度調整装置によりインキキー開度を所定値に減少した後、次の印刷データがないとき、前記記憶部に記憶されたインキキー開度のデータをリセットすることを特徴とする請求項６に記載のインキ供給装置。
【請求項９】
前記制御装置は、前記インキ供給停止信号の入力により前記インキキー開度調整装置によりインキキー開度を減少する自動シャットオフモードと、作業者の操作により入力される手動インキ供給停止信号の入力により前記インキキー開度調整装置によりインキキー開度を減少する手動シャットオフモードとを有することを特徴とする請求項１から請求項８のいずれか一項に記載のインキ供給装置。
【請求項１０】
前記制御装置は、前記インキ供給停止信号の入力により前記インキキー開度調整装置によりインキキー開度を所定値に減少した後、前記各ローラにおける緩動速度より高い速度での回転を禁止することを特徴とする請求項１から請求項９のいずれか一項に記載のインキ供給装置。
【請求項１１】
前記ローラ駆動装置により前記インキ元ローラを回転する時間を調整可能であることを特徴とする請求項２から請求項９のいずれか一項に記載のインキ供給装置。
【請求項１２】
インキ元ローラと、
前記インキ元ローラが供給するインキ膜厚を調整可能なインキキーと、
前記インキ元ローラからインキが受け渡されるインキ受渡しローラと、
前記インキ受渡しローラからのインキを搬送する複数のインキ搬送ローラと、
を有するインキ供給装置において、
インキ供給停止信号が出力されたときにインキキー開度を予め設定された所定値まで減少させる、
ことを特徴とするインキ供給方法。
【請求項１３】
インキ供給停止信号が出力されたとき、インキキー開度を予め設定された所定値まで減少させた後、前記インキ元ローラを所定時間だけ回転させることを特徴とする請求項１２に記載のインキ供給方法。
【請求項１４】
インキにより形成された画像を印刷媒体に転写するブランケット胴と、
前記ブランケット胴に対接して表面にインキにより形成された画像を前記ブランケット胴に転写する版胴と、
請求項１から請求項１１のいずれか一項に記載されたインキ供給装置と、
を有することを特徴とする印刷機。
【発明の詳細な説明】
【技術分野】
【０００１】
本発明は、複数のローラを用いてインキを版胴に供給するインキ供給装置及び方法、並びに、インキ供給装置により供給されたインキを印刷媒体の印刷面に転写して印刷を行う印刷機に関するものである。
【背景技術】
【０００２】
例えば、新聞用オフセット輪転印刷機は、給紙装置と印刷装置とウェブパス装置と折機と排紙装置とから構成されている。そして、印刷装置は、複数の印刷ユニットから構成され、この印刷ユニットは、例えば、インキつぼ、インキ元ローラ、インキ受渡しローラ、インキ練ローラ、インキ往復ローラ、インキ着ローラ、版胴、ブランケット胴などがほぼ直列に配置されている。従って、インキつぼのインキがインキ元ローラによりインキ受渡しローラに受け渡され、インキ練ローラ及びインキ往復ローラにより適度に練られて薄膜を形成された後、インキ着ローラから版胴の版面に供給され、版面に付着したインキがブランケット胴に転写され、対向するブランケット胴との間にウェブが走行することで、このウェブに所定の印圧が掛けられてインキが絵柄として転写される。
【０００３】
ところで、印刷が終了して次の印刷開始を待っているとき、また、印刷途中で断紙して印刷の再開を待っているときなど、印刷ユニットは、インキつぼのインキキーが所定の開度に維持されている。このとき、インキは、所定の流動性を有していることから、時間の経過に伴ってインキキーの開口部から余剰のインキが徐々に漏れ、別のローラや印刷媒体を汚してしまうおそれがある。
【０００４】
このような問題を解決するものとして、例えば、下記特許文献１に記載されたものがある。特許文献１に記載されたインキキーの制御装置は、インキキーの開閉が自動運転モードによる運転時に、休憩または不慮の事故などで輪転機を一時停止する場合、全閉ボタン操作による全閉信号により使用しているユニットの全てのインキキーを全閉状態とし、インキの漏れを防止するものである。
【先行技術文献】
【特許文献】
【０００５】
【特許文献１】特開２０００−０６２１４７号公報
【特許文献２】特開平０４−１７３２４８号公報
【発明の概要】
【発明が解決しようとする課題】
【０００６】
上述した従来のインキキーの制御装置は、休憩や不慮の事故などで輪転機が一時停止したとき、作業者が全閉ボタンを操作して全閉信号を出力することで、全てのインキキーを全閉状態としてインキの漏れを防止している。ところが、不慮の事故で輪転機が一時停止したとき、作業者は、輪転機の不具合を解消するための作業を行う必要があることから、全閉ボタンを操作し忘れるおそれがあり、この場合、インキの漏れを防止することができない。
【０００７】
また、印刷機が停止したとき、手動でわざわざ全てのインキキーを全閉状態とするのは作業性が悪かった。近年、オペレータの数が減り、一人で複数のユニットを担当しなければならない状況となっており、特に、運転操作に慣れていない未熟なオペレータの場合、誤操作しやすい。そして、シャットオフ操作を忘れると、他へのインキ垂れが発生し、インキ垂れした箇所の清掃に非常に手間がかかる。そのため、多数の印刷ユニットを備えたオフセット新聞輪転機では、清掃箇所も多いために時間もかかっていた。
【０００８】
本発明は、上述した課題を解決するものであり、印刷機の停止時におけるインキの漏れを防止することで印刷品質の向上を可能とするインキ供給装置及び方法並びに印刷機を提供することを目的とする。
【課題を解決するための手段】
【０００９】
上述の目的を達成するための本発明のインキ供給装置は、インキ元ローラと、前記インキ元ローラが供給するインキ膜厚を調整可能なインキキーと、前記インキ元ローラからインキが受け渡されるインキ受渡しローラと、前記インキ受渡しローラからのインキを搬送する複数のインキ搬送ローラと、前記インキキーの開度を調整可能なインキキー開度調整装置と、インキ供給停止信号の入力により前記インキキー開度調整装置によりインキキー開度を減少する制御装置と、を有することを特徴とするものである。
【００１０】
従って、インキ供給停止信号が入力したとき、インキキー開度調整装置によりインキキー開度を減少する。そのため、機械の停止時に、インキキー開度を減少することで、インキ元ローラとインキキーとの隙間からのインキの漏洩を防止することができる。その結果、機械の停止時におけるインキの漏れを防止することで印刷品質を向上することができる。
【００１１】
本発明のインキ供給装置では、前記インキ元ローラを回転可能なローラ駆動装置が設けられ、前記制御装置は、インキ供給停止信号の入力により前記インキキー開度調整装置によりインキキー開度を減少すると共に、前記ローラ駆動装置により前記インキ元ローラを所定時間だけ回転可能である
ことを特徴としている。
【００１２】
従って、インキ供給停止信号が入力したとき、インキキー開度調整装置によりインキキー開度を減少すると共に、ローラ駆動装置により必要に応じてインキ元ローラを所定時間だけ回転する。そのため、機械の停止時に、インキ元ローラを所定時間だけ回転することで、インキ元ローラとインキ受渡しローラとの隙間からのインキの漏洩を防止することができる。
【００１３】
本発明のインキ供給装置では、前記制御装置は、インキ供給停止信号の入力により前記インキキー開度調整装置によりインキキー開度を最小値に設定することを特徴としている。
【００１４】
従って、インキ供給停止信号が入力したとき、インキキー開度を最小値に設定することで、インキ元ローラとインキキーとの接触を防止することができる。
【００１５】
本発明のインキ供給装置では、前記制御装置は、使用するインキの流動性が予め設定された所定値より高いとき、前記ローラ駆動装置により前記インキ元ローラを所定時間だけ回転することを特徴としている。
【００１６】
従って、インキ供給停止信号が入力したとき、インキキー開度調整装置によりインキキー開度を減少し、インキの流動性が所定値より高いときには、ローラ駆動装置によりインキ元ローラを所定時間だけ回転する。そのため、機械の停止時に、インキ元ローラを所定時間だけ回転するため、流動性が高いインキであっても、インキ元ローラとインキ受渡しローラとの隙間からのインキの漏洩を防止することができる。
【００１７】
本発明のインキ供給装置では、前記インキ供給停止信号は、印刷機の緊急停止信号であることを特徴としている。
【００１８】
従って、印刷機の緊急停止信号が入力したとき、インキキー開度調整装置によりインキキー開度を減少することで、断紙などのときであっても、インキ元ローラとインキキーとの隙間からのインキの漏洩を防止することができる。
【００１９】
本発明のインキ供給装置では、前記インキ供給停止信号の入力時のインキキー開度を記憶する記憶部が設けられ、前記制御装置は、シャットオフ解除信号の入力により前記インキキー開度調整装置によりインキキー開度を前記記憶部に記憶されたインキキー開度に復帰させることを特徴としている。
【００２０】
従って、シャットオフ解除信号が入力したとき、インキキー開度調整装置によりインキキー開度を記憶されたインキキー開度に復帰させることで、早期にインキ供給を開始することができる。
【００２１】
本発明のインキ供給装置では、前記制御装置は、前記インキ供給停止信号の入力により前記インキキー開度調整装置によりインキキー開度を所定値に減少した後、インキプリセットデータが入力されたら、前記記憶部に記憶されたインキキー開度のデータをインキプリセットデータに変更することを特徴としている。
【００２２】
従って、インキプリセットデータが入力されたとき、これを記憶部に記憶することで、インキ供給開始時に、インキプリセットデータに基づいたインキ供給を適正に行うことができる。
【００２３】
本発明のインキ供給装置では、前記制御装置は、前記インキ供給停止信号の入力により前記インキキー開度調整装置によりインキキー開度を所定値に減少した後、次の印刷データがないとき、前記記憶部に記憶されたインキキー開度のデータをリセットすることを特徴としている。
【００２４】
従って、記憶部に次の印刷データがないとき、インキキー開度のデータをリセットすることで、無駄なインキの供給を停止することができる。
【００２５】
本発明のインキ供給装置では、前記制御装置は、前記インキ供給停止信号の入力により前記インキキー開度調整装置によりインキキー開度を減少する自動シャットオフモードと、作業者の操作により入力される手動インキ供給停止信号の入力により前記インキキー開度調整装置によりインキキー開度を減少する手動シャットオフモードとを有することを特徴としている。
【００２６】
従って、自動シャットオフモードと手動シャットオフモードを設けることで、インキ供給形態に応じて作業者は好みのモードを選択することができ、操作性を向上することができる。
【００２７】
本発明のインキ供給装置では、前記制御装置は、前記インキ供給停止信号の入力により前記インキキー開度調整装置によりインキキー開度を所定値に減少した後、前記各ローラにおける緩動速度より高い速度での回転を禁止することを特徴としている。
【００２８】
従って、シャットオフ中は、版交換などで使用する緩動速度より高い速度でのローラの回転を禁止することで、シャットオフ中でもメンテナンスが可能となる。また、シャットオフ動作が終了後、所定のキー開度にすることができるので、所定のインキキー開度となっていない状態での印刷開始を防止し、損紙を低減すると共に、インキ元ローラの回転等による作業者に対する安全性を向上することができる。
【００２９】
本発明のインキ供給装置では、前記ローラ駆動装置により前記インキ元ローラを回転する時間を調整可能であることを特徴としている。
【００３０】
従って、ローラ駆動装置によるインキ元ローラの回転時間を調整可能とすることで、例えば、現在のインキキー開度やインキの流動性などを考慮し、インキ元ローラの表面に付着したインキを適正に回収することができる。
【００３１】
また、本発明のインキ供給方法は、インキ元ローラと、前記インキ元ローラが供給するインキ膜厚を調整可能なインキキーと、前記インキ元ローラからインキが受け渡されるインキ受渡しローラと、前記インキ受渡しローラからのインキを搬送する複数のインキ搬送ローラと、を有するインキ供給装置において、インキ供給停止信号が出力されたときにインキキー開度を予め設定された所定値まで減少させる、ことを特徴とするものである。
【００３２】
従って、機械の停止時に、インキキー開度を減少することで、インキ元ローラとインキキーとの隙間からのインキの漏洩を防止することができる。その結果、機械の停止時におけるインキの漏れを防止することで印刷品質を向上することができる。
【００３３】
本発明のインキ供給方法では、インキ供給停止信号が出力されたとき、インキキー開度を予め設定された所定値まで減少させた後、前記インキ元ローラを所定時間だけ回転させることを特徴としている。
【００３４】
従って、印刷機停止信号が入力したとき、インキキー開度調整装置によりインキキー開度を減少すると共に、ローラ駆動装置により必要に応じてインキ元ローラを所定時間だけ回転する。そのため、機械の停止時に、インキ元ローラを所定時間だけ回転することで、インキ元ローラとインキ受渡しローラとの隙間からのインキの漏洩を防止することができる。
【００３５】
また、本発明の印刷機は、インキにより形成された画像を印刷媒体に転写するブランケット胴と、前記ブランケット胴に対接して表面にインキにより形成された画像を前記ブランケット胴に転写する版胴と、前記インキ供給装置と、を有することを特徴とするものである。
【００３６】
従って、印刷機停止信号が入力したとき、インキキー開度調整装置によりインキキー開度を減少する。そのため、機械の停止時に、インキキー開度を減少することで、インキ元ローラとインキキーとの隙間からのインキの漏洩を防止することができる。その結果、機械の停止時におけるインキの漏れを防止することで印刷品質を向上することができる。
【発明の効果】
【００３７】
本発明のインキ供給装置及び方法並びに印刷機によれば、インキ供給停止信号の入力によりインキキー開度調整装置によりインキキー開度を減少するので、機械の停止時におけるインキの漏れを防止することで印刷品質を向上することができる。
【図面の簡単な説明】
【００３８】
【図１】図１は、本実施形態のインキ供給装置を表す概略構成図である。
【図２】図２は、インキ供給装置における操作パネルを表す概略図である。
【図３】図３は、インキ供給装置におけるシャットオフ時のインキ元ローラの回転時間を設定する画面の概略図である。
【図４】図４は、自動シャットオフモードの処理を表すフローチャートである。
【図５】図５は、自動シャットオフからの復帰処理を表すフローチャートである。
【図６】図６は、別の自動シャットオフモードの処理を表すフローチャートである。
【図７】図７は、手動シャットオフモードの処理を表すフローチャートである。
【図８】図８は、手動シャットオフからの復帰処理を表すフローチャートである。
【図９】図９は、新聞用オフセット輪転印刷機を表す概略構成図である。
【図１０】図１０は、新聞用オフセット輪転印刷機における印刷ユニットを表す概略構成図である。
【図１１】図１１は、印刷ユニットにおけるローラ配列を表す概略図である。
【発明を実施するための形態】
【００３９】
以下に添付図面を参照して、本発明に係るインキ供給装置及び方法並びに印刷機の好適な実施形態を詳細に説明する。なお、この実施形態により本発明が限定されるものではなく、また、複数の実施形態がある場合には、各実施形態を組み合わせて構成するものも含むものである。
【００４０】
図９は、新聞用オフセット輪転印刷機を表す概略構成図、図１０は、新聞用オフセット輪転印刷機における印刷ユニットを表す概略構成図、図１１は、印刷ユニットにおけるローラ配列を表す概略図である。
【００４１】
本実施形態の印刷機は、図９に示すように、新聞用オフセット輪転印刷機１０であって、給紙装置Ｒと、インフィード装置Ｉと、印刷装置Ｕと、ウェブパス装置Ｄと、折機Ｆとから構成されている。給紙装置Ｒは、複数（本実施形態では、７台）の給紙ユニットＲ１〜Ｒ７を有し、インフィード装置Ｉは、複数（本実施形態では、７台）のインフィードユニットＩ１〜Ｉ７を有し、印刷装置Ｕは、複数（本実施形態では、６台）の印刷ユニットＵ１〜Ｕ６を有し、ウェブパス装置Ｄは、複数（本実施形態では、２台）のウェブパスユニットＤ１，Ｄ２を有し、折機Ｆは、複数（本実施形態では、２台）の折ユニットＦ１，Ｆ２を有している。
【００４２】
この場合、印刷ユニットＵ１〜Ｕ６を６台として説明したが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。また、２つの折ユニットＦ１，Ｆ２を上下に並べて記載したが、実際には、紙面に直交する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００４３】
そして、本実施形態の新聞用オフセット輪転印刷機１０では、図示しない建屋の１階の床面上に給紙ユニットＲ１〜Ｒ７が設置され、２階にインフィードユニットＩ１〜Ｉ７が設置され、２階及び３階に印刷ユニットＵ１〜Ｕ６が設置され、３階から５階にウェブパス装置Ｄが設置され、また、２階、３階に折機Ｆが設置されている。
【００４４】
給紙装置Ｒにおいて、給紙ユニットＲ１〜Ｒ７は、ほぼ同様の構成をなし、ウェブ（印刷媒体）Ｗがロール状に巻かれた３つの巻取紙を保持する保持アーム１１を有し、この保持アーム１１を回動することで、巻取紙を給紙位置に回動することができる。また、この各給紙ユニットＲ１〜Ｒ７には、図示しない紙継装置が設けられており、給紙位置で繰り出されている巻取紙が残り少なくなると、この紙継装置により給紙位置にある巻取紙に対して、待機位置にある巻取紙を紙継することができる。
【００４５】
インフィード装置Ｉにおいて、インフィードユニットＩ１〜Ｉ７は、ほぼ同様の構成をなし、印刷装置Ｕの各印刷ユニットＵ１〜Ｕ６に送り込むウェブＷのテンションを調整することで、印刷装置Ｕを走行するウェブＷのテンションを適正値に安定して維持するようにしている。例えば、各インフィードユニットＩ１〜Ｉ７は、インフィードローラ、紙押えゴムローラ、ダンサローラ、ガイドローラなどを有している。そして、ダンサローラをウェブＷの張り方向に付勢することでウェブＷのテンションを適正にし、このダンサローラの揺動に応じてインフィードローラの周速を変更し、ウェブＷの適正なテンションを維持している。
【００４６】
なお、給紙装置Ｒからインフィード装置ＩまでのウェブＷのテンションは、給紙ユニットＲ１〜Ｒ７に設けられた図示しないブレーキ装置により行っており、給紙装置Ｒに設けられたテンション検出ローラの検出結果に基づいて、このブレーキ装置を制御している。また、印刷装置Ｕの下流側には、駆動源により駆動回転可能なドラグローラ１２が設けられており、このドラグローラ１２の周速やダンサローラの付勢力を制御することで、ウェブＷのテンションを調整している。
【００４７】
印刷装置Ｕにおいて、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。各印刷ユニットＵ１１〜Ｕ６２は、ほぼ同様の構成をなし、後述するが、インキ供給装置、版胴、ブランケット胴などを有している。本実施形態では、各印刷ユニットＵ１〜Ｕ６は、版胴の周長（直径）とブランケット胴の周長（直径）が同じに設定されている。なお、各印刷ユニットＵ１〜Ｕ６にて、版胴の周長（直径）に対して、ブランケット胴の周長（直径）を整数倍に設定してもよい。
【００４８】
なお、本実施形態では、印刷ユニットＵ１〜Ｕ６を、全て多色刷印刷ユニットにより構成したが、この構成に限定されるものではない。例えば、両面２色刷印刷ユニット、両面単色刷印刷ユニット、一面４色または単色刷印刷ユニットなど、印刷物に応じて適宜各種ユニットを組み合わせて使用すればよい。
【００４９】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられている。各ウェブパスユニットＤ１，Ｄ２は、ほぼ同様の構成をなし、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。
【００５０】
即ち、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００５１】
折機Ｆにて、２つの折ユニットＦ１，Ｆ２は、操作側と駆動側に配設されている。即ち、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙することができる。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙することができる。この場合、折機Ｆでは、折ユニットＦ１，Ｆ２が各ウェブパスユニットＤ１，Ｄ２からのウェブＷ１，Ｗ２を処理するだけでなく、各折ユニットＦ１，Ｆ２の一方がまとめて処理することもできる。
【００５２】
従って、本実施形態の新聞用オフセット輪転印刷機１０では、給紙装置Ｒの各給紙ユニットＲ１〜Ｒ７からそれぞれ供給された各ウェブＷは、インフィード装置Ｉの各インフィードユニットＩ１〜Ｉ７によりテンションが調整され、印刷装置Ｕの各印刷ユニットＵ１〜Ｕ６に供給される。この印刷装置Ｕにおける各印刷ユニットＵ１〜Ｕ６にて、各ウェブＷの両面に印刷が施される。そして、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００５３】
その後、折機Ｆでは、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙する。また、ウェブパスユニットＤ２から複数のウェブＷ２が重ねられて導入されると、折ユニットＦ２は、ウェブＷ２を縦折りし、所定の長さで横裁断し、横折りして折帖を形成し、新聞として排紙する。
【００５４】
ここで、印刷装置Ｕにおける印刷ユニットＵ１について詳細に説明する。印刷ユニットＵ１は、図１０に示すように、４色印刷が可能となるように、Ｈ型のタワーユニットとなっている。この印刷ユニットＵ１は、ウェブＷの搬送方向（図１０にて、下から上）に沿って、墨（Black）、藍（Cyan）、紅（Magenta）、黄（Yellow）ごとの４つのスタック２１，２２，２３，２４が配置されて構成されており、各スタック２１，２２，２３，２４は、それぞれ左右対称となるローラ配列となっている。
【００５５】
即ち、印刷ユニットＵ１における各スタック２１，２２，２３，２４は、左右に対向してブランケット胴３１ａ，３１ｂ，３２ａ，３２ｂ，３３ａ，３３ｂ，３４ａ，３４ｂがウェブＷの搬送経路を挟んで対接可能であり、各ブランケット胴３１ａ，３１ｂ，３２ａ，３２ｂ，３３ａ，３３ｂ，３４ａ，３４ｂに版胴４１ａ，４１ｂ，４２ａ，４２ｂ，４３ａ，４３ｂ，４４ａ，４４ｂが対接している。そして、各スタック２１，２２，２３，２４は、各版胴４１ａ，４１ｂ，４２ａ，４２ｂ，４３ａ，４３ｂ，４４ａ，４４ｂに対して、インキ供給装置５１ａ，５１ｂ，５２ａ，５２ｂ，５３ａ，５３ｂ，５４ａ，５４ｂが設けられている。また、各版胴４１ａ，４１ｂ，４２ａ，４２ｂ，４３ａ，４３ｂ，４４ａ，４４ｂに対して、湿し装置６１ａ，６１ｂ，６２ａ，６２ｂ，６３ａ，６３ｂ，６４ａ，６４ｂが設けられている。
【００５６】
この場合、スタック２１，２３は、ブランケット胴３１ａ，３１ｂ，３３ａ，３３ｂと版胴４１ａ，４１ｂ，４３ａ，４３ｂがハの字形状に配列され、スタック２２，２４は、ブランケット胴３２ａ，３２ｂ，３４ａ，３４ｂと版胴４２ａ，４２ｂ，４４ａ，４４ｂが逆ハの字形状に配列されている。そして、各版胴４１ａ，４１ｂ，４２ａ，４２ｂ，４３ａ，４３ｂ，４４ａ，４４ｂにて、外周面に異なる絵柄を印刷する刷版（図示略）が軸方向、つまり、ウェブＷの幅方向に沿って並べて装着可能となっている。
【００５７】
この場合、各スタック２１，２３、各スタック２２，２４は、それぞれローラ配列がほぼ同様の構成となっていることから、以下に、スタック２１，２２について詳細に説明する。
【００５８】
印刷ユニットＵ１２において、図１１に示すように、スタック２１は、垂直方向に沿ったウェブＷの搬送経路に対して、左側が表面印刷を行う表面印刷ユニットであり、右側が裏面印刷を行う裏面印刷ユニットである。
【００５９】
スタック２１は、ブランケット胴３１ａ，３１ｂと、版胴４１ａ，４１ｂと、インキ供給装置５１ａ，５１ｂと、湿し装置６１ａ，６１ｂを有している。このインキ供給装置５１ａ，５１ｂは、インキ元ローラ７１ａ，７１ｂと、インキつぼを構成するインキキー７２ａ，７２ｂと、インキ受渡しローラ７３ａ，７３ｂと、２つのインキ練ローラ７４ａ，７４ｂ，７５ａ，７５ｂと、２つのインキ往復ローラ７６ａ，７６ｂ，７７ａ，７７ｂと、３つのインキ着ローラ７８ａ，７８ｂ，７９ａ，７９ｂ，８０ａ，８０ｂから構成されている。また、湿し装置６１ａ，６１ｂは、練ローラ８１ａ，８１ｂと、往復ローラ８２ａ，８２ｂと、水着ローラ８３ａ，８３ｂと、スプレーダンプナー８４ａ，８４ｂから構成されている。
【００６０】
本実施形態のインキ供給装置５１ａ，５１ｂは、インキつぼ方式であって、１つのインキ元ローラ７１ａ，７１ｂに対して複数のインキキー７２ａ，７２ｂが幅方向に沿って配置されて構成されている。そして、インキ元ローラ７１ａ，７１ｂ及びインキキー７２ａ，７２ｂは、予め設定された所定の流動性（粘度）を有するインキを貯留することができると共に、インキキー７２ａ，７２ｂを開放することで、所定量のインキを送り出すことができる。このインキ元ローラ７１ａ，７１ｂは、表面が金属により形成され、図示しないフレームに回転自在に支持され、後述する駆動装置により矢印方向に駆動回転可能となっている。
【００６１】
インキ受渡しローラ７３ａ，７３ｂは、インキ元ローラ７１ａ，７１ｂのインキを受け渡すものであって、表面が金属または樹脂により形成され、インキ元ローラ７１ａ，７１ｂに対接するようにフレームに回転自在に支持されている。インキ練ローラ７４ａ，７４ｂは、インキ受渡しローラ７３ａ，７３ｂから受け渡されたインキを練るものであって、表面がゴムにより形成され、インキ受渡しローラ７３ａ，７３ｂに対接するようにフレームに回転自在に支持されている。インキ往復ローラ７６ａ，７６ｂは、インキ練ローラ７４ａ，７４ｂにより練られたインキを幅方向に広げるものであって、表面が金属により形成され、インキ練ローラ７４ａ，７４ｂに対接するようにフレームに回転自在に支持されると共に、軸方向に往復移動可能となっている。
【００６２】
なお、他のインキ練ローラ７５ａ，７５ｂは、隣接するローラ間で受け渡されるインキを練るものであり、表面がゴムにより形成され、隣接するローラに対接するようにフレームに回転自在に支持されている。また、他のインキ往復ローラ７７ａ，７７ｂは、隣接するローラ間で受け渡されるインキを幅方向に広げるもの、表面が金属により形成され、隣接するローラに対接するようにフレームに回転自在に支持されると共に、軸方向に往復移動可能となっている。
【００６３】
インキ着ローラ７８ａ，７８ｂ，７９ａ，７９ｂ，８０ａ，８０ｂは、インキ往復ローラ７６ａ，７６ｂ，７７ａ，７７ｂにより幅方向に広げられたインキを受け取って供給するものであって、表面がゴムにより形成され、インキ往復ローラ７６ａ，７６ｂ，７７ａ，７７ｂに対接するようにフレームに回転自在に支持されている。そして、インキ受渡しローラ７３ａ，７３ｂとインキ往復ローラ７６ａ，７６ｂ，７７ａ，７７ｂは、図示しないギアにより同期駆動するように連結され、図示しない駆動装置により矢印方向に駆動回転可能となっている。また、インキ練ローラ７４ａ，７４ｂ，７５ａ，７５ｂとインキ着ローラ７８ａ，７８ｂ，７９ａ，７９ｂ，８０ａ，８０ｂは、駆動回転する各ローラとの摩擦接触による回転伝達により矢印方向に回転可能となっている。
【００６４】
また、練ローラ８１ａ，８１ｂは、ローラ間で受け渡される湿し水を練るものであり、表面がゴムにより形成され、隣接するローラに対接するようにフレームに回転自在に支持されている。また、往復ローラ８２ａ，８２ｂは、隣接するローラ間で受け渡される湿し水を幅方向に広げるもの、表面が金属により形成され、隣接するローラに対接するようにフレームに回転自在に支持されると共に、軸方向に往復移動可能となっている。水着ローラ８３ａ，８３ｂは、往復ローラ８２ａ，８２ｂにより幅方向に広げられた湿し水を受け取って供給するものであって、表面がゴムにより形成され、往復ローラ８２ａ，８２ｂに対接するようにフレームに回転自在に支持されている。そして、往復ローラ８２ａ，８２ｂは、往復ローラ７６ａ，７６ｂ，７７ａ，７７ｂと共にギアにより同期駆動するように連結され、矢印方向に駆動回転可能となっている。また、練ローラ８１ａ，８１ｂと水着ローラ８３ａ，８３ｂは、駆動回転する各ローラとの摩擦接触による回転伝達により矢印方向に回転可能となっている。スプレーダンプナー８４ａ，８４ｂは、往復ローラ８２ａ，８２ｂの軸方向に沿って複数のスプレーノズルが配置されて構成され、湿し水を扇状に霧化して往復ローラ８２ａ，８２ｂに付与するものである。
【００６５】
版胴４１ａ，４１ｂは、表面に図示しない刷版が巻き付けられる金属ローラであり、インキ着ローラ７８ａ，７８ｂ，７９ａ，７９ｂ，８０ａ，８０ｂのインキが刷版の画線部に受け渡されると共に、水着ローラ８３ａ，８３ｂの湿し水が刷版の非画線部に受け渡されるものである。この版胴４１ａ，４１ｂは、インキ着ローラ７８ａ，７８ｂ，７９ａ，７９ｂ，８０ａ，８０ｂと水着ローラ８３ａ，８３ｂに対接するようにフレームに回転自在に支持されている。ブランケット胴３１ａ，３１ｂは、表面に図示しないブランケット（ゴム）が巻き付けられるゴムローラであり、版胴４１ａ，４１ｂから受け渡されたインキをウェブＷに転写するものであって、版胴４１ａ，４１ｂに対接するようにフレームに回転自在に支持されている。そして、版胴４１ａ，４１ｂとブランケット胴３１ａ，３１ｂは、図示しないギアにより同期駆動するように連結され、駆動装置により矢印方向に駆動回転可能となっている。
【００６６】
この場合、版胴４１ａ，４１ｂに装着される刷版は、絵柄のある領域（画線部）と絵柄のない領域（非画線部）が形成され、画線部が親油性であり、非画線部が親水性である。そのため、版胴４１ａ，４１ｂに装着された刷版に対して、インキ着ローラ７８ａ，７８ｂ，７９ａ，７９ｂ，８０ａ，８０ｂからインキが供給されると共に、水着ローラ８３ａ，８３ｂから湿し水が供給されると、画線部のみにインキが転写され、非画線部に湿し水が転写される。そして、版胴４１ａ，４１ｂに対してブランケット胴３１ａ，３１ｂが対接して同期回転すると、版胴４１ａ，４１ｂから画線部にあるインキがブランケット胴３１ａ，３１ｂに転写される。
【００６７】
従って、スタック２１にて、インキキー７２ａ，７２ｂが所定開度に設定され、インキ元ローラ７１ａ，７１ｂが所定の速度で回転することで、調量されたインキがこのインキ元ローラ７１ａ，７１ｂを通してインキ受渡しローラ７３ａ，７３ｂに供給される。このインキ受渡しローラ７３ａ，７３ｂに供給されたインキは、インキ練ローラ７４ａ，７４ｂを通してインキ往復ローラ７６ａ，７６ｂに受け渡され、このインキ往復ローラ７６ａ，７６ｂが軸方向に往復移動することで、幅方向に広げられる。また、このインキ往復ローラ７６ａ，７６ｂで幅方向に広げられたインキは、インキ練ローラ７５ａ，７５ｂを通してインキ往復ローラ７７ａ，７７ｂに受け渡され、このインキ往復ローラ７７ａ，７７ｂが軸方向に往復移動することで、さらに幅方向に広げられる。
【００６８】
そして、各インキ往復ローラ７６ａ，７６ｂ，７７ａ，７７ｂにより幅方向に広げられたインキは、インキ着ローラ７８ａ，７８ｂ，７９ａ，７９ｂ，８０ａ，８０ｂに供給され、このインキ着ローラ７８ａ，７８ｂ，７９ａ，７９ｂ，８０ａ，８０ｂが回転することで版胴４１ａ，４１ｂの版面に受け渡される。このとき、インキ着ローラ７８ａ，７８ｂ，７９ａ，７９ｂ，８０ａ，８０ｂ上のインキは、版胴４１ａ，４１ｂに装着された刷版の画線部のみに転写される。一方、スプレーダンプナー８４ａ，８４ｂは、扇状に霧化した湿し水を往復ローラ８２ａ，８２ｂに付与し、湿し水は、練ローラ８１ａ，８１ｂにより練られてから水着ローラ８３ａ，８３ｂにより版胴４１ａ，４１ｂの版面に受け渡される。このとき、水着ローラ８３ａ，８３ｂの湿し水は、版胴４１ａ，４１ｂに装着された刷版の非画線部のみに転写される。そして、この版胴４１ａ，４１ｂが回転することで、刷版の画線部にあるインキがブランケット胴３１ａ，３１ｂに受け渡される。
【００６９】
その後、ブランケット胴３１ａ，３１ｂの間にウェブＷが通過するときに、その印圧により各ブランケット胴３１ａ，３１ｂに転写されたインキ（絵柄）がウェブＷの表裏に転写される。即ち、ウェブＷの表面に対して、ブランケット胴４１ａのインキが転写され、ウェブＷの裏面に対して、ブランケット胴４１ｂのインキが転写されることで、ウェブＷへの両面印刷が行われる。
【００７０】
また、スタック２２は、垂直方向に沿ったウェブＷの搬送経路に対して、左側が表面印刷を行う表面印刷ユニットであり、右側が裏面印刷を行う裏面印刷ユニットである。
【００７１】
スタック２２は、ブランケット胴３２ａ，３２ｂと、版胴４２ａ，４２ｂと、インキ供給装置５２ａ，５２ｂと、湿し装置６２ａ，６２ｂを有している。このインキ供給装置５２ａ，５２ｂは、インキ元ローラ９１ａ，９１ｂと、インキつぼを構成するインキキー９２ａ，９２ｂと、インキ受渡しローラ９３ａ，９３ｂと、２つのインキ練ローラ９４ａ，９４ｂ，９５ａ，９５ｂと、２つのインキ往復ローラ９６ａ，９６ｂ，９７ａ，９７ｂと、３つのインキ着ローラ９８ａ，９８ｂ，９９ａ，９９ｂ，１００ａ，１００ｂから構成されている。また、湿し装置６２ａ，６２ｂは、練ローラ１０１ａ，１０１ｂと、往復ローラ１０２ａ，１０２ｂと、水着ローラ１０３ａ，１０３ｂと、スプレーダンプナー１０４ａ，１０４ｂから構成されている。
【００７２】
なお、このスタック２２におけるブランケット胴３２ａ，３２ｂ、版胴４２ａ，４２ｂ、インキ供給装置５２ａ，５２ｂ、湿し装置６２ａ，６２ｂは、スタック２１におけるブランケット胴３１ａ，３１ｂ、版胴４１ａ，４１ｂ、インキ供給装置５１ａ，５１ｂ、湿し装置６１ａ，６１ｂと配列が相違するだけで、その構成はほぼ同様であることから、詳細な説明は省略する。
【００７３】
このように構成された本実施形態の新聞用オフセット輪転印刷機１０にて、インキ供給装置５１ａ，５１ｂ，５２ａ，５２ｂ，５３ａ，５３ｂ，５４ａ，５４ｂは、停止時にインキの漏れを防止するシャットオフ機能を有している。即ち、図１に示すように、インキ供給装置５１ａにて、インキ元ローラ７１ａは、フレームに回転自在に支持されると共に、ローラ駆動装置（例えば、モータ）１１１により駆動回転可能となっている。インキキー７２ａは、所定の大きさを有する板形状をなし、基端部がフレーム１１２に支持軸１１３により回動自在に支持され、先端部がインキ元ローラ７１ａの周面に沿って配置されている。このインキキー７２ａは、付勢部材としてのばね１１４により先端部がインキ元ローラ７１ａの周面から離間する方向に付勢支持されている。
【００７４】
インキキー７２ａは、インキキー開度調整装置１１５によりインキキー開度が調整可能となっている。このインキキー開度調整装置１１５は、駆動モータ１１６と、ねじ機構（図示略）と、回動自在に支持された調整片１１７とを有し、インキキー７２ａの先端部が調整片１１７に当接することでインキキー７２ａが位置決めされ、インキキー開度が設定されている。そのため、駆動モータ１１６を駆動し、ねじ機構を介して調整片１１７を回動することで、調整片１１７とインキキー７２ａとの当接位置が変更され、インキキー７２ａを回動してインキキー開度を変更（調整）することができる。
【００７５】
制御装置１２１は、操作表示部１２２と記憶部１２３が接続されている。また、制御装置１２１は、インキキー開度調整装置１１５の検出器（ポテンションメータ）１１８からのインキキー開度信号と、印刷機制御部１２４からの印刷終了信号と、ウェブＷの搬送経路に設けられた検出器１２５からの断紙信号が入力される。ここで、印刷終了信号と断紙信号は、印刷機停止信号（インキ供給停止信号）であり、新聞用オフセット輪転印刷機１０が停止している。
【００７６】
そして、制御装置１２１は、この印刷機停止信号が出力されたとき、インキキー７２ａによるインキキー開度を予め設定された所定値まで減少させた後、インキ元ローラ７１ａを所定時間だけ回転させるようにしている。即ち、印刷が終了して次の印刷開始を待っているとき、また、印刷途中で断紙して印刷の再開を待っているときは、インキキー７２ａのインキキー開度が印刷時の開度に維持され、インキ元ローラ７１ａやとインキ受渡しローラ７３ａなどが停止している。そのため、インキ元ローラ７１ａとインキキー７２ａとの隙間やインキ元ローラ７１ａとインキ受渡しローラ７３ａとの隙間からインキが漏れるおそれがある。そのため、制御装置１２１は、印刷が終了したり、断紙したりしたとき、インキキー開度調整装置１１５によりインキキー７２ａを回動してインキキー開度を減少させることで、インキ元ローラ７１ａとインキキー７２ａとの隙間からのインキ漏れを防止する。また、その後、ローラ駆動装置１１１によりインキ元ローラ７１ａを所定時間だけ回転させ、インキ元ローラ７１ａの表面に付着しているインキを回収することで、インキ元ローラ７１ａとインキ受渡しローラ７３ａとの隙間からインキ漏れを防止する。
【００７７】
この場合、制御装置１２１は、印刷機停止信号の入力によりインキキー開度調整装置１１５によりインキキー開度を最小値に設定する。また、制御装置１２１は、使用するインキの流動性が予め設定された所定値より高いとき、ローラ駆動装置１１１によりインキ元ローラ７１ａを所定時間だけ回転する。
【００７８】
なお、印刷機停止信号は、所定の印刷物（新聞）が所定冊数を印刷して所定の印刷ジョブが終了したときに出力される印刷終了信号、または、印刷機トラブル時に出力される緊急停止信号である。この緊急停止信号としては、ウェブＷが途中で切れた断紙信号が代表的であるが、主機の故障などもある。その他の停止要因としては、自動選択モードの入れ忘れや紙継ぎ設定上の入力エラーや刷版の装着間違い信号などがある。
【００７９】
また、制御装置１２１は、記憶部１２３が接続されている。制御装置１２１は、所定時間ごとにインキキー開度を記憶部１２３に記憶しているが、印刷機停止信号が入力されたとき、そのときのインキキー開度を記憶する。そして、制御装置１２１は、シャットオフ解除信号が入力されたとき、インキキー開度調整装置１１５によりインキキー開度を記憶部１２３に記憶されたインキキー開度に復帰させる。
【００８０】
制御装置１２１に印刷機停止信号が入力され、インキキー開度調整装置１１５によりインキキー開度を所定値（最小値）に減少して待機しているとき、印刷機制御部１２４からインキプリセットデータが入力されることがある。例えば、印刷中に原稿の差し替えが生じた場合などである。このインキプリセットデータとは、印刷データの一部を変更するものであり、制御装置１２１は、このインキプリセットデータが入力されたら、記憶部１２３に記憶されたインキキー開度のデータをこのインキプリセットデータに上書きする。一方、所定の印刷物（新聞）が所定冊数を印刷して所定の印刷ジョブが終了したとき、次の印刷データがなくなってしまう。このとき、記憶部１２３に記憶されたインキキー開度のデータをリセットする。
【００８１】
インキ供給装置５１ａは、印刷機停止信号が入力されたとき、自動的にインキキー開度調整装置１１５によりインキキー開度を減少する自動シャットオフモードと、作業者の操作により手動印刷機停止信号が入力されたとき、インキキー開度調整装置１１５によりインキキー開度を減少する手動シャットオフモードが設けられている。そして、自動シャットオフモードは、印刷機停止信号が入力されたとき、インキキー開度を減少する全自動シャットオフモードと、断紙信号が入力されたときのみ、インキキー開度を減少する断紙時自動シャットオフモードとが設けられている。
【００８２】
操作表示部１２２は、図２に示す操作表示画面を有している。この画面にて、自動シャットオフモードを選択のための全自動シャットオフモード選択ボタン１３１と、断紙時自動シャットオフモード選択ボタン１３２が設けられている。また、この画面にて、手動シャットオフモードを選択のためのロックリリースボタン１３３と、手動シャットオフモード選択ボタン１３４と、シャットオフモード復帰選択ボタン１３５、リセットボタン１３６が設けられている。このリセットボタン１３６は、記憶部１２３に記憶されているインキキー開度をリセット（０）するものである。なお、別の画面に印刷機起動ボタン１３７が設けられている。
【００８３】
そして、制御装置１２１は、印刷機停止信号の入力によりインキキー開度を所定値に減少した後、各ローラにおける緩動速度より高い速度での回転を禁止する。緩動速度とは、例えば、版交換時に刷版を版胴に巻き付けながら版胴をゆっくりと回転させる速度である。
【００８４】
また、制御装置１２１は、印刷機停止信号が出力されたとき、インキキー７２ａによるインキキー開度を所定値まで減少させた後、インキ元ローラ７１ａを所定時間だけ回転させるが、ローラ駆動装置１１１によりインキ元ローラ７１ａを回転する時間を調整可能となっている。操作表示部１２２は、図３に示す操作表示画面を有している。この画面にて、インキシャットオフ設定の数値表示部１４１が設けられている。ここで、インキ元ローラ回転時間とは、印刷機停止信号が出力されたとき、インキキー開度を所定値まで減少させた後にインキ元ローラ７１ａを回転させる時間である。符号１４２，１４３，１４４，１４５は、インキ元ローラ回転時間の入力表示部である。なお、Ａ，Ｂ，Ｃ，Ｄは、スタック２１，２２，２３，２４に相当する。また、インキ元ローラ回転出力とは、インキ元ローラ７１ａの回転速度であり、インキシャットオフ目標値とは、印刷機停止信号が出力されたときに減少させるインキキー開度の所定値である。符号１４６，１４７は、インキ元ローラ回転出力とインキシャットオフ目標値の入力表示部である。
【００８５】
また、制御装置１２１は、シャットオフ解除信号が出力されたとき、インキキー７２ａによるインキキー開度を所定値まで復帰させた後、インキ元ローラ７１ａを所定時間だけ回転させるが、ローラ駆動装置１１１によりインキ元ローラ７１ａを回転する時間を調整可能となっている。この画面にて、インキ呼び出し設定の数値表示部１５１が設けられている。ここで、インキ元ローラ回転時間とは、シャットオフ解除信号が出力されたとき、インキキー開度を所定値まで復帰させた後にインキ元ローラ７１ａを回転させる時間である。符号１５２，１５３，１５４，１５５は、インキ元ローラ回転時間の入力表示部である。また、インキ元ローラ回転出力とは、インキ元ローラ７１ａの回転速度である。符号１５６は、インキ元ローラ回転出力の入力表示部である。
【００８６】
ここで、インキ供給装置５１ａにおけるシャットオフ動作について、フローチャートを用いて詳細に説明する。
【００８７】
まず、全自動シャットオフモード処理（断紙時シャットオフモード処理）において、図１及び図４に示すように、ステップＳ１１にて、全自動シャットオフモード（全自動シャットオフモード選択ボタン１３１）または断紙時シャットオフモード（断紙時シャットオフモード選択ボタン１３２）が選択（ＯＮ）されることで、インキ供給装置５１ａは、全自動シャットオフモードまたは断紙時シャットオフモードが実行される。ここで、図示しないが、操作表示部１２２の表示パネルに、全自動シャットオフモードランプまたは断紙時シャットオフモードランプが点灯する。この場合、使用しているインキユニットに対応して表示ランプが設けられている。
【００８８】
ステップＳ１２にて、制御装置１２１は、印刷機停止信号が入力されたかどうかを判定する。ここで、印刷機停止信号が入力されていないと判定（Ｎｏ）されたら、この状態が継続される。一方、印刷機停止信号が入力されたと判定（Ｙｅｓ）されたら、ステップＳ１３にて、制御装置１２１は、現在のインキキー開度を記憶部１２３に記憶し、ステップＳ１４にて、インキキーシャットオフ処理を開始する。即ち、制御装置１２１は、インキキー開度調整装置１１５によりインキキー７２ａを回動し、インキキー開度を所定開度（例えば、最小値）まで減少させる。
【００８９】
ステップＳ１５にて、制御装置１２１は、全てのインキキー７２ａがシャットオフされたかどうかを判定する。この場合、１つのインキ元ローラ７１ａに対して複数のインキキー７２ａが配置されており、各インキキー７２ａに対してポテンションメータ１１８が設けられている。そのため、制御装置１２１は、複数のポテンションメータ１１８からのインキキー開度信号に基づいて全てのインキキー７２ａのインキキー開度が所定値になったかどうかを判定する。また、印刷機停止信号が入力されたとき、インキキー７２ａだけでなく、使用している印刷ユニットに設けられている全てのインキキーの開度を減少させることから、制御装置１２１は、使用している印刷ユニットにおける全てのインキキーの開度信号に基づいて全てのインキキー開度が所定値になったかどうかを判定する。
【００９０】
ここで、全てのインキキー開度が所定値にならないと判定（Ｎｏ）されたら、この状態を維持する。そして、全てのインキキー開度が所定値になったと判定（Ｙｅｓ）されたら、ステップＳ１６にて、インキ元ローラ７１ａを所定時間だけ回転する。その後、ステップＳ１７にて、印刷機１０の加速を禁止、つまり、緩動速度を超える各ローラの回転を禁止する。
【００９１】
そのため、印刷機１０の停止時、インキキー７２ａによるインキキー開度が所定値（最小値）に調整されることで、インキ元ローラ７１ａとインキキー７２ａとの隙間からのインキ漏れが防止される。また、その後、インキ元ローラ７１ａが所定時間だけ回転されることで、インキ元ローラ７１ａの表面に付着しているインキがインキつぼに回収され、インキ元ローラ７１ａとインキ受渡しローラ７３ａとの隙間からのインキ漏れが防止される。
【００９２】
なお、制御装置１２１は、ステップＳ１５にて、全てのインキキー７２ａがシャットオフされたと判定したら、ステップＳ１６にて、インキ元ローラ７１ａを所定時間だけ回転するように構成したが、この処理に限定されるものではない。例えば、制御装置１２１は、インキキー７２ａのシャットオフ処理を開始してから、または、インキキー７２ａのシャットオフ処理が完了してから、所定時間の経過後にインキ元ローラ７１ａを所定時間だけ回転するように構成してもよい。この場合、制御装置１２１は、所定時間の経過後に、警報やランプの点灯をしてインキ元ローラ７１ａを回転するとよい。
【００９３】
その後、この印刷機１０の停止時に、各種の作業（半交換、断紙の復旧など）が完了したら、シャットオフモード復帰処理を行う。図１及び図５に示すように、ステップＳ２１にて、全自動シャットオフモードまたは断紙時シャットオフモードが実行中である。ステップＳ２２にて、制御装置１２１は、シャットオフ解除信号（起動ボタン１３７）が入力（ＯＮ）されたかどうかを判定する。ここで、シャットオフ解除信号が入力されていないと判定（Ｎｏ）されたら、この状態が継続される。一方、シャットオフ解除信号が入力されたと判定（Ｙｅｓ）されたら、ステップＳ２３にて、制御装置１２１は、現在のインキキー開度（最小値）を記憶部１２３に記憶されたインキキー開度に復帰させる。即ち、制御装置１２１は、インキキー開度調整装置１１５によりインキキー７２ａを回動し、インキキー開度をシャットオフ前のインキキー開度まで増加させる。
【００９４】
なお、インキ供給装置５１ａがシャットオフ動作中、制御装置１２１は、インキプリセットデータが入力されたら、記憶部１２３に記憶されたインキキー開度のデータをこのインキプリセットデータに上書きする。また、所定の印刷物（新聞）が所定冊数を印刷して所定の印刷ジョブが終了したとき、次の印刷データがないことから、記憶部１２３に記憶されたインキキー開度のデータをリセットする。
【００９５】
ステップＳ２４にて、制御装置１２１は、全てのインキキー７２ａがシャットオフ前のインキキー開度に復帰したかどうかを判定する。ここで、全てのインキキー開度がシャットオフ前のインキキー開度に復帰しないと判定（Ｎｏ）されたら、この状態を維持する。そして、全てのインキキー開度がシャットオフ前のインキキー開度に復帰したと判定（Ｙｅｓ）されたら、ステップＳ２５にて、インキ元ローラ７１ａを所定時間だけ回転する。その後、印刷機１０は、印刷を開始する。
【００９６】
なお、上述した全自動シャットオフモード処理（断紙時シャットオフモード処理）にて、制御装置１２１は、印刷機停止信号が入力されたら、インキキー７２ａによるインキキー開度を所定値（最小値）に減少した後、インキ元ローラ７１ａを所定時間だけ回転するように構成したが、この構成に限定されるものではない。即ち、印刷に使用するインキは、用途により流動性（粘度）が相違する。そのため、流動性が高い（粘度が低い）インキほど漏れが発生するおそれがある。そこで、流動性が高い（粘度が低い）インキを使用した場合、印刷機停止信号が入力されたとき、インキキー開度を所定値（最小値）に減少した後、インキ元ローラ７１ａを所定時間だけ回転する。一方、流動性が低い（粘度が高い）インキを使用した場合、印刷機停止信号が入力されたとき、インキキー開度を所定値（最小値）に減少するが、インキ元ローラ７１ａの回転は行わない。
【００９７】
図６に示すように、ステップＳ３１にて、全自動シャットオフモード（全自動シャットオフモード選択ボタン１３１）または断紙時シャットオフモード（断紙時シャットオフモード選択ボタン１３２）が選択（ＯＮ）されることで、インキ供給装置５１ａは、全自動シャットオフモードまたは断紙時シャットオフモードが実行される。
【００９８】
ステップＳ３２にて、制御装置１２１は、印刷機停止信号が入力されたかどうかを判定する。ここで、印刷機停止信号が入力されていないと判定（Ｎｏ）されたら、この状態が継続される。一方、印刷機停止信号が入力されたと判定（Ｙｅｓ）されたら、ステップＳ３３にて、制御装置１２１は、現在のインキキー開度を記憶部１２３に記憶し、ステップＳ３４にて、インキキーシャットオフ処理を開始する。即ち、制御装置１２１は、インキキー開度調整装置１１５によりインキキー７２ａを回動し、インキキー開度を所定開度（例えば、最小値）まで減少させる。
【００９９】
ステップＳ３５にて、制御装置１２１は、全てのインキキー７２ａがシャットオフされたかどうかを判定する。ここで、全てのインキキー開度が所定値にならないと判定（Ｎｏ）されたら、この状態を維持する。そして、全てのインキキー開度が所定値になったと判定（Ｙｅｓ）されたら、ステップＳ３６にて、使用しているインキの流動性（粘度）が予め設定された所定値以上であるかどうかを判定する。ここで、インキの流動性（粘度）が予め設定された所定値以上であると判定（Ｙｅｓ）と判定されたら、ステップＳ３７にて、インキ元ローラ７１ａを所定時間だけ回転する。一方、インキの流動性（粘度）が予め設定された所定値以上でないと判定（Ｎｏ）と判定されたら、ステップＳ３７に移行しない。つまり、インキ元ローラ７１ａを回転しない。その後、ステップＳ３８にて、印刷機１０の加速を禁止、つまり、緩動速度を超える各ローラの回転を禁止する。
【０１００】
インキの流動性は、スプレッドメータ（平行板粘度計）で測定した値であり、ＳＬ値とＤＭ値で表される。ここで、インキの流動性（粘度）が所定値以上であるインキとは、ＳＬ値＝１０、ＤＭ値＝５０〜６０（ｍｍ）のインキであり、インキの流動性（粘度）が所定値より低いインキとは、ＳＬ値＝５〜８、ＤＭ値＝３５〜４０（ｍｍ）のインキである。
【０１０１】
そのため、印刷機１０の停止時、インキキー７２ａによるインキキー開度が所定値（最小値）に調整されることで、インキ元ローラ７１ａとインキキー７２ａとの隙間からのインキ漏れが防止される。また、その後、流動性の高いインキを使用しているときは、インキ元ローラ７１ａが所定時間だけ回転されることで、インキ元ローラ７１ａの表面に付着しているインキがインキつぼに回収され、インキ元ローラ７１ａとインキ受渡しローラ７３ａとの隙間からのインキ漏れが防止される。
【０１０２】
また、インキ元ローラ７１ａのインキ膜厚が厚いほど漏れが発生するおそれがある。そのため、インキ元ローラ７１ａのインキ膜厚が厚い場合、印刷機停止信号が入力されたとき、インキキー開度を所定値（最小値）に減少した後、インキ元ローラ７１ａを所定時間だけ回転する。一方、インキ元ローラ７１ａのインキ膜厚が厚くない場合、印刷機停止信号が入力されたとき、インキキー開度を所定値（最小値）に減少するが、インキ元ローラ７１ａの回転は行わない。インキ元ローラ７１ａの回転をインキ元ローラ７１ａのインキ膜厚に応じて設定してもよい。また、インキは、色（墨、藍、紅、黄）ごとに粘度が相違することから、粘度の低い色を使用する印刷ユニットにおけるインキ元ローラ７１ａだけ回転するようにしてもよい。また、スタック２１とスタック２２とでは、ローラ配列が相違することから、インキ漏れが発生しやすいスタック２１におけるインキ元ローラ７１ａだけ回転するようにしてもよい。
【０１０３】
次に、手動シャットオフモード処理において、図１及び図７に示すように、ステップＳ４１にて、手動シャットオフモード（ロックリリースボタン１３３及び手動シャットオフモード選択ボタン１３４）が選択（ＯＮ）されることで、インキ供給装置５１ａは、手動シャットオフモードが実行される。ここで、図示しないが、操作表示部１２２の表示パネルに、手動シャットオフモードランプが点灯する。この場合、使用しているインキユニットに対応して表示ランプが設けられている。
【０１０４】
ステップＳ４２にて、制御装置１２１は、印刷速度が予め設定された所定の印刷速度（緩動速度）以下になったかどうかを判定する。ここで、所定の印刷速度以下になっていないと判定（Ｎｏ）されたら、この状態が継続される。一方、所定の印刷速度以下になったと判定（Ｙｅｓ）されたら、ステップＳ４３にて、制御装置１２１は、現在のインキキー開度を記憶部１２３に記憶し、ステップＳ４４にて、インキキーシャットオフ処理を開始する。即ち、制御装置１２１は、インキキー開度調整装置１１５によりインキキー７２ａを回動し、インキキー開度を所定開度（例えば、最小値）まで減少させる。
【０１０５】
ステップＳ４５にて、制御装置１２１は、全てのインキキー７２ａがシャットオフされたかどうかを判定する。ここで、全てのインキキー開度が所定値にならないと判定（Ｎｏ）されたら、この状態を維持する。そして、全てのインキキー開度が所定値になったと判定（Ｙｅｓ）されたら、ステップＳ４６にて、インキ元ローラ７１ａを所定時間だけ回転する。その後、ステップＳ４７にて、印刷機１０の加速を禁止、つまり、緩動速度を超える各ローラの回転を禁止する。
【０１０６】
そのため、印刷機１０の停止時、インキキー７２ａによるインキキー開度が所定値（最小値）に調整されることで、インキ元ローラ７１ａとインキキー７２ａとの隙間からのインキ漏れが防止される。また、その後、インキ元ローラ７１ａが所定時間だけ回転されることで、インキ元ローラ７１ａの表面に付着しているインキがインキつぼに回収され、インキ元ローラ７１ａとインキ受渡しローラ７３ａとの隙間からのインキ漏れが防止される。
【０１０７】
その後、この印刷機１０の停止時に、各種の作業（半交換、断紙の復旧など）が完了したら、シャットオフモード復帰処理を行う。図１及び図８に示すように、ステップＳ５１にて、手動シャットオフモードが実行中である。ステップＳ５２にて、制御装置１２１は、シャットオフ解除信号（シャットオフモード復帰選択ボタン１３５）が入力（ＯＮ）されたかどうかを判定する。ここで、シャットオフ解除信号が入力されていないと判定（Ｎｏ）されたら、この状態が継続される。一方、シャットオフ解除信号が入力されたと判定（Ｙｅｓ）されたら、ステップＳ５３にて、制御装置１２１は、現在のインキキー開度（最小値）を記憶部１２３に記憶されたインキキー開度に復帰させる。即ち、制御装置１２１は、インキキー開度調整装置１１５によりインキキー７２ａを回動し、インキキー開度をシャットオフ前のインキキー開度まで増加させる。
【０１０８】
なお、インキ供給装置５１ａがシャットオフ動作中、制御装置１２１は、インキプリセットデータが入力されたら、記憶部１２３に記憶されたインキキー開度のデータをこのインキプリセットデータに上書きする。また、所定の印刷物（新聞）が所定冊数を印刷して所定の印刷ジョブが終了したとき、次の印刷データがないことから、記憶部１２３に記憶されたインキキー開度のデータをリセットする。
【０１０９】
ステップＳ５４にて、制御装置１２１は、全てのインキキー７２ａがシャットオフ前のインキキー開度に復帰したかどうかを判定する。ここで、全てのインキキー開度がシャットオフ前のインキキー開度に復帰しないと判定（Ｎｏ）されたら、この状態を維持する。そして、全てのインキキー開度がシャットオフ前のインキキー開度に復帰したと判定（Ｙｅｓ）されたら、ステップＳ５５にて、インキ元ローラ７１ａを所定時間だけ回転する。その後、印刷機１０は、印刷を開始する。
【０１１０】
なお、この手動シャットオフモード処理は、自動シャットオフモード処理中であっても実行することができる。また、自動シャットオフモード処理または手動シャットオフモード処理を選択後、例えば、モード解除ボタン（図示略）を押すことで、選択したモードを解除することができるようにしてもよい。
【０１１１】
このように本実施形態のインキ供給装置にあっては、インキ元ローラ７１ａ，７１ｂ，９１ａ，９１ｂと、インキ元ローラ７１ａ，７１ｂ，９１ａ，９１ｂが供給するインキ膜厚を調整可能なインキキー７２ａ，７２ｂ，９２ａ，９２ｂと、インキ元ローラ７１ａ，７１ｂ，９１ａ，９１ｂからインキが受け渡されるインキ受渡しローラ７３ａ，７３ｂ，９３ａ，９３ｂと、インキキー７２ａ，７２ｂ，９２ａ，９２ｂの開度を調整可能なインキキー開度調整装置１１５と、インキ元ローラ７１ａ，７１ｂ，９１ａ，９１ｂを回転可能なローラ駆動装置１１１と、インキ供給停止信号の入力によりインキキー開度調整装置１１５によりインキキー開度を減少すると共に、ローラ駆動装置１１１によりインキ元ローラ７１ａ，７１ｂ，９１ａ，９１ｂを所定時間だけ回転可能な制御装置１２１とを設けている。
【０１１２】
従って、インキ供給停止信号が入力したとき、インキキー開度調整装置１１５によりインキキー開度を減少すると共に、ローラ駆動装置１１１により必要に応じてインキ元ローラ７１ａ，７１ｂ，９１ａ，９１ｂを所定時間だけ回転する。そのため、印刷機１０の停止時に、インキキー開度を減少することで、インキ元ローラ７１ａ，７１ｂ，９１ａ，９１ｂとインキキー７２ａ，７２ｂ，９２ａ，９２ｂとの隙間からのインキの漏洩を防止することができ、また、インキ元ローラ７１ａ，７１ｂ，９１ａ，９１ｂを所定時間だけ回転することで、インキ元ローラ７１ａ，７１ｂ，９１ａ，９１ｂとインキ受渡しローラ７３ａ，７３ｂ，９３ａ，９３ｂとの隙間からのインキの漏洩を防止することができる。その結果、印刷機１０の停止時におけるインキの漏れを防止することで印刷品質を向上することができる。
【０１１３】
本実施形態のインキ供給装置では、制御装置１２１は、インキ供給停止信号の入力によりインキキー開度調整装置１１５によりインキキー開度を最小値に設定している。従って、インキキー開度の最小値とは、インキキー７２ａ，７２ｂ，９２ａ，９２ｂの先端部がインキ元ローラ７１ａ，７１ｂ，９１ａ，９１ｂの外周面に接触しない位置であり、インキ元ローラ７１ａ，７１ｂ，９１ａ，９１ｂとインキキー７２ａ，７２ｂ，９２ａ，９２ｂとの接触を防止してインキ元ローラ７１ａ，７１ｂ，９１ａ，９１ｂの損傷を防止することができると共に、インキ元ローラ７１ａ，７１ｂ，９１ａ，９１ｂとインキキー７２ａ，７２ｂ，９２ａ，９２ｂとの隙間からのインキの漏洩を防止することができる。
【０１１４】
本実施形態のインキ供給装置では、制御装置１２１は、使用するインキの流動性が予め設定された所定値より高いとき、ローラ駆動装置１１１によりインキ元ローラ７１ａ，７１ｂ，９１ａ，９１ｂを所定時間だけ回転している。従って、インキ供給停止信号が入力したとき、インキキー開度調整装置１１５によりインキキー開度を減少し、インキの流動性が所定値より高いときだけ、ローラ駆動装置１１１によりインキ元ローラ７１ａ，７１ｂ，９１ａ，９１ｂを所定時間だけ回転する。そのため、印刷機１０の停止時に、インキ元ローラ７１ａ，７１ｂ，９１ａ，９１を所定時間だけ回転するため、流動性が高いインキであっても、インキ元ローラ７１ａ，７１ｂ，９１ａ，９１ｂとインキ受渡しローラ７３ａ，７３ｂ，９３ａ，９３ｂとの隙間からのインキの漏洩を防止することができる。
【０１１５】
本実施形態のインキ供給装置では、インキ供給停止信号は、印刷機１０の緊急停止信号である。従って、印刷機１０の緊急停止信号が入力したとき、インキキー開度調整装置１１５によりインキキー開度を減少することで、断紙などのときであっても、インキ元ローラ７１ａ，７１ｂ，９１ａ，９１ｂとインキキー７２ａ，７２ｂ，９２ａ，９２ｂとの隙間からのインキの漏洩を防止することができる。また、作業者は、インキキーの全閉ボタンを操作することなく、輪転機の不都合を解消する作業に注力することができる。
【０１１６】
本実施形態のインキ供給装置では、インキ供給停止信号の入力時のインキキー開度を記憶する記憶部１２３を設け、制御装置１２１は、シャットオフ解除信号の入力によりインキキー開度調整装置１１５によりインキキー開度を記憶部１２３に記憶されたインキキー開度に復帰させている。従って、早期にインキ供給を開始することができる。
【０１１７】
本実施形態のインキ供給装置では、制御装置１２１は、インキ供給停止信号の入力によりインキキー開度調整装置１１５によりインキキー開度を所定値に減少した後、インキプリセットデータが入力されたら、記憶部１２３に記憶されたインキキー開度のデータをインキプリセットデータに変更している。従って、印刷内容に変更があった場合、インキ供給開始時にインキプリセットデータに基づいたインキ供給を適正の行うことができる。
【０１１８】
本実施形態のインキ供給装置では、制御装置１２１は、インキ供給停止信号の入力によりインキキー開度調整装置１１５によりインキキー開度を所定値に減少した後、次の印刷データがないとき、記憶部１２３に記憶されたインキキー開度のデータをリセットしている。従って、記憶部１２３に次の印刷データがないとき、インキキー開度のデータをリセットすることで、無駄なインキの供給を停止することができる。
【０１１９】
本実施形態のインキ供給装置では、制御装置１２１は、インキ供給停止信号の入力によりインキキー開度調整装置１１５によりインキキー開度を減少する自動シャットオフモードと、作業者の操作により入力される手動インキ供給停止信号の入力によりインキキー開度調整装置１１５によりインキキー開度を減少する手動シャットオフモードとを有している。従って、自動シャットオフモードと手動シャットオフモードを設けることで、インキ供給形態に応じて作業者は好みのモードを選択することができ、操作性を向上することができる。
【０１２０】
本実施形態のインキ供給装置では、制御装置１２１は、インキ供給停止信号の入力によりインキキー開度調整装置１１５によりインキキー開度を所定値に減少した後、各ローラにおける緩動速度より高い速度での回転を禁止している。従って、シャットオフ中は、版交換などで使用する緩動速度より高い速度でのローラの回転を禁止することで、シャットオフ中でもメンテナンスが可能となる。また、シャットオフ動作が終了後、所定のキー開度にすることができるので、所定のインキキー開度となっていない状態での印刷開始を防止し、損紙を低減すると共に、インキ元ローラの回転等による作業者に対する安全性を向上することができる。
【０１２１】
本実施形態のインキ供給装置では、ローラ駆動装置１１１によりインキ元ローラ７１ａ，７１ｂ，９１ａ，９１ｂを回転する時間を調整可能としている。従って、ローラ駆動装置１１１によるインキ元ローラ７１ａ，７１ｂ，９１ａ，９１ｂの回転時間を調整可能とすることで、例えば、現在のインキキー開度やインキの流動性などを考慮し、インキ元ローラ７１ａ，７１ｂ，９１ａ，９１ｂの表面に付着したインキを適正に回収することができる。
【０１２２】
また、本実施形態のインキ供給方法にあっては、インキ供給停止信号が出力されたとき、インキキー開度を予め設定された所定値まで減少させた後、インキ元ローラ７１ａ，７１ｂ，９１ａ，９１ｂを所定時間だけ回転させている。従って、印刷機１０の停止時に、インキキー開度を減少することで、インキ元ローラ７１ａ，７１ｂ，９１ａ，９１ｂとインキキー７２ａ，７２ｂ，９２ａ，９２ｂとの隙間からのインキの漏洩を防止することができ、また、インキ元ローラ７１ａ，７１ｂ，９１ａ，９１ｂを所定時間だけ回転することで、インキ元ローラ７１ａ，７１ｂ，９１ａ，９１ｂとインキ受渡しローラ７３ａ，７３ｂ，９３ａ，９３ｂとの隙間からのインキの漏洩を防止することができる。その結果、印刷機１０の停止時におけるインキの漏れを防止することで印刷品質を向上することができる。
【０１２３】
また、本実施形態の印刷機にあっては、印刷機１０の停止時に、インキキー開度を減少することで、インキ元ローラ７１ａ，７１ｂ，９１ａ，９１ｂとインキキー７２ａ，７２ｂ，９２ａ，９２ｂとの隙間からのインキの漏洩を防止することができ、また、インキ元ローラ７１ａ，７１ｂ，９１ａ，９１ｂを所定時間だけ回転することで、インキ元ローラ７１ａ，７１ｂ，９１ａ，９１ｂとインキ受渡しローラ７３ａ，７３ｂ，９３ａ，９３ｂとの隙間からのインキの漏洩を防止することができる。その結果、印刷機１０の停止時におけるインキの漏れを防止することで印刷品質を向上することができる。
【０１２４】
なお、上述した実施形態で説明した印刷機１０は一例であって、各ユニットの構成に限定されるものではない。また、ローラ駆動装置１１１やインキ開度調整装置１１５の構造も一例であって、他の構造であってもよい。
【０１２５】
また、上述した実施形態では、印刷機の停止信号の入力によりインキキー開度を最小値に設定したが、タイマを設けて印刷機が所定時間停止したときに、本機能を実施するようにしてもよい。そうすることにより、短時間停止の比較的インキ漏れの少ない停止要因についてはインキキーシャットオフを行わないようにすることで、インキキーシャットオフ及びインキキーシャットオフ解除に係る時間を削減でき、効率的な運転が可能となる。
【０１２６】
また、上述した実施形態では、本発明の印刷機を新聞用オフセット輪転印刷機に適用して説明したが、商業用オフセット輪転印刷機やオフセット枚葉印刷機などに適用してもよく、この場合、両面印刷機であっても、片面印刷機であってもよい。
【符号の説明】
【０１２７】
Ｒ  給紙装置
Ｒ１〜Ｒ７  給紙ユニット
Ｉ  インフィード装置
Ｉ１〜Ｉ７  インフィードユニット
Ｕ  印刷装置
Ｕ１〜Ｕ６，Ｕ１１〜Ｕ６２  印刷ユニット
Ｄ  ウェブパス装置
Ｄ１，Ｄ２  ウェブパスユニット
Ｆ  折機
Ｆ１，Ｆ２  折ユニット
２１，２２，２３，２４  スタック
３１ａ，３１ｂ，３２ａ，３２ｂ，３３ａ，３３ｂ，３４ａ，３４ｂ  ブランケット胴
４１ａ，４１ｂ，４２ａ，４２ｂ，４３ａ，４３ｂ，４４ａ，４４ｂ  版胴
５１ａ，５１ｂ，５２ａ，５２ｂ，５３ａ，５３ｂ，５４ａ，５４ｂ  インキ供給装置
６１ａ，６１ｂ，６２ａ，６２ｂ，６３ａ，６３ｂ，６４ａ，６４ｂ  湿し装置
７１ａ，７１ｂ，９１ａ，９１ｂ  インキ元ローラ
７２ａ，７２ｂ，９２ａ，９２ｂ  インキキー
７３ａ，７３ｂ，９３ａ，９３ｂ  インキ受渡しローラ
７４ａ，７４ｂ，７５ａ，７５ｂ，９４ａ，９４ｂ，９５ａ，９５ｂ  インキ練ローラ（インキ搬送ローラ）
７６ａ，７６ｂ，７７ａ，７７ｂ，９６ａ，９６ｂ，９７ａ，９７ｂ  インキ往復ローラ（インキ搬送ローラ）
７８ａ，７８ｂ，７９ａ，７９ｂ，８０ａ，８０ｂ，９８ａ，９８ｂ，９９ａ，９９ｂ，１００ａ，１００ｂ  インキ着ローラ（インキ搬送ローラ）
１１１  ローラ駆動装置
１１５  インキー開度調整装置
１１８  ポテンションメータ（検出器）
１２１  制御装置
１２２  操作表示部
１２３  記憶部
Ｗ  ウェブ（印刷媒体）
【図９】
2015085562.tif 000003
【図１】
2015085562.tif 000004
【図２】
2015085562.tif 000005
【図３】
2015085562.tif 000006
【図４】
2015085562.tif 000007
【図５】
2015085562.tif 000008
【図６】
2015085562.tif 000009
【図７】
2015085562.tif 000010
【図８】
2015085562.tif 000011
【図１０】
2015085562.tif 000012
【図１１】
2015085562.tif 000013
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
インキ元ローラと、
前記インキ元ローラが供給するインキ膜厚を調整可能なインキキーと、
前記インキ元ローラからインキが受け渡されるインキ受渡しローラと、
前記インキ受渡しローラからのインキを搬送する複数のインキ搬送ローラと、
前記インキキーの開度を調整可能なインキキー開度調整装置と、
インキ供給停止信号の入力により前記インキキー開度調整装置によりインキキー開度を最小値に設定する制御装置と、
を有することを特徴とするインキ供給装置。
【請求項２】
前記インキ元ローラを回転可能なローラ駆動装置が設けられ、前記制御装置は、インキ供給停止信号の入力により前記インキキー開度調整装置によりインキキー開度を減少すると共に、前記ローラ駆動装置により前記インキ元ローラを所定時間だけ回転可能であることを特徴とする請求項１に記載のインキ供給装置。
【請求項３】
前記制御装置は、使用するインキの流動性が予め設定された所定値より高いとき、前記ローラ駆動装置により前記インキ元ローラを所定時間だけ回転することを特徴とする請求項２に記載のインキ供給装置。
【請求項４】
前記インキ供給停止信号は、印刷機の緊急停止信号であることを特徴とする請求項１から請求項３のいずれか一項に記載のインキ供給装置。
【請求項５】
インキ元ローラと、
前記インキ元ローラが供給するインキ膜厚を調整可能なインキキーと、
前記インキ元ローラからインキが受け渡されるインキ受渡しローラと、
前記インキ受渡しローラからのインキを搬送する複数のインキ搬送ローラと、
前記インキキーの開度を調整可能なインキキー開度調整装置と、
インキ供給停止信号の入力により前記インキキー開度調整装置によりインキキー開度を減少する制御装置と、
を有し、
前記インキ供給停止信号の入力時のインキキー開度を記憶する記憶部が設けられ、前記制御装置は、シャットオフ解除信号の入力により前記インキキー開度調整装置によりインキキー開度を前記記憶部に記憶されたインキキー開度に復帰させる、
ことを特徴とするインキ供給装置。
【請求項６】
前記制御装置は、前記インキ供給停止信号の入力により前記インキキー開度調整装置によりインキキー開度を所定値に減少した後、インキプリセットデータが入力されたら、前記記憶部に記憶されたインキキー開度のデータをインキプリセットデータに変更することを特徴とする請求項５に記載のインキ供給装置。
【請求項７】
前記制御装置は、前記インキ供給停止信号の入力により前記インキキー開度調整装置によりインキキー開度を所定値に減少した後、次の印刷データがないとき、前記記憶部に記憶されたインキキー開度のデータをリセットすることを特徴とする請求項５に記載のインキ供給装置。
【請求項８】
インキ元ローラと、
前記インキ元ローラが供給するインキ膜厚を調整可能なインキキーと、
前記インキ元ローラからインキが受け渡されるインキ受渡しローラと、
前記インキ受渡しローラからのインキを搬送する複数のインキ搬送ローラと、
前記インキキーの開度を調整可能なインキキー開度調整装置と、
インキ供給停止信号の入力により前記インキキー開度調整装置によりインキキー開度を減少する制御装置と、
を有し、
前記制御装置は、前記インキ供給停止信号の入力により前記インキキー開度調整装置によりインキキー開度を減少する自動シャットオフモードと、作業者の操作により入力される手動インキ供給停止信号の入力により前記インキキー開度調整装置によりインキキー開度を減少する手動シャットオフモードとを有する、
ことを特徴とするインキ供給装置。
【請求項９】
インキ元ローラと、
前記インキ元ローラが供給するインキ膜厚を調整可能なインキキーと、
前記インキ元ローラからインキが受け渡されるインキ受渡しローラと、
前記インキ受渡しローラからのインキを搬送する複数のインキ搬送ローラと、
前記インキキーの開度を調整可能なインキキー開度調整装置と、
インキ供給停止信号の入力により前記インキキー開度調整装置によりインキキー開度を減少する制御装置と、
を有し、
前記制御装置は、前記インキ供給停止信号の入力により前記インキキー開度調整装置によりインキキー開度を所定値に減少した後、前記各ローラにおける緩動速度より高い速度での回転を禁止する、
ことを特徴とするインキ供給装置。
【請求項１０】
前記ローラ駆動装置により前記インキ元ローラを回転する時間を調整可能であることを特徴とする請求項２または請求項３に記載のインキ供給装置。
【請求項１１】
インキ元ローラと、
前記インキ元ローラが供給するインキ膜厚を調整可能なインキキーと、
前記インキ元ローラからインキが受け渡されるインキ受渡しローラと、
前記インキ受渡しローラからのインキを搬送する複数のインキ搬送ローラと、
を有するインキ供給装置において、
インキ供給停止信号の入力により前記インキキー開度調整装置によりインキキー開度を最小値に設定する、
ことを特徴とするインキ供給方法。
【請求項１２】
インキ供給停止信号が出力されたとき、インキキー開度を予め設定された所定値まで減少させた後、前記インキ元ローラを所定時間だけ回転させることを特徴とする請求項１１に記載のインキ供給方法。
【請求項１３】
インキにより形成された画像を印刷媒体に転写するブランケット胴と、
前記ブランケット胴に対接して表面にインキにより形成された画像を前記ブランケット胴に転写する版胴と、
請求項１から請求項１０のいずれか一項に記載されたインキ供給装置と、
を有することを特徴とする印刷機。